(57)【要約】【課題】  ホイールローダや油圧ショベル等のキャブ付きの建設機械において、空調風をキャブ内に排出するダクトカバーをキャブフロントウインドウのディフロストもできながら、配管８、９が外部に露出しないようにする。【解決手段】  配管８、９をステアリングコラム１０内を通し、該ステアリングコラムの後面と前面とに設けられ、ステアリングコラム１０の上端に設けられるパネル盤１１よりも下側に位置する配した吹出口１６、１８から空調風を吹出すようにした。【選択図】        図４
2005119535.tif 000002
【特許請求の範囲】
【請求項１】
キャブによって覆われる操縦席の前方にステアリングコラムを備えてなるキャブ式建設機械に空調装置を設けるにあたり、該空調用の配管を、前記ステアリングコラム内を通して、ステアリングコラムに設けた吹出口に接続したことを特徴とするキャブ式建設機械。
【請求項２】
請求項１において、吹出口は、ステアリングコラムの前方に配されることを特徴とするキャブ式建設機械。
【請求項３】
請求項１または２において、吹出口はステアリングコラムの後面板に開設されることを特徴とするキャブ式建設機械。
【請求項４】
請求項３において、吹出口からは後方下方に向けて調整風が吹出すものであることを特徴とするキャブ式建設機械。
【請求項５】
請求項２において、吹出口は、ステアリングコラムとキャブ前面板とのあいだに位置してステアリングコラムに取付けられることを特徴とするキャブ式建設機械。
【請求項６】
請求項２または５において、配管は、ステアリングコラムの左右方向側方から延設されたものを前方に折り返し湾曲して吹出口の左右方向一側に接続されるものであることを特徴とするキャブ式建設機械。
【請求項７】
請求項６において、吹出口は、上面が開口して左右方向に長い凹溝形状をし、かつ溝底面は配管との接続側ほど低い傾斜面になっていることを特徴とするキャブ式建設機械。
【請求項８】
請求項１において、吹出口は、ステアリングコラムの左右方向側方に配されることを特徴とするキャブ式建設機械。
【請求項９】
請求項１または８において、吹出口は、ステアリングコラムの左右両側部から左右方向に突出して配されていることを特徴とするキャブ式建設機械。
【請求項１０】
請求項１、２、８または９において、吹出口は、ステアリングコラムの上端部に設けたパネル盤の下方に配されていることを特徴とするキャブ式建設機械。
【請求項１１】
請求項１０において、吹出口は、平面視で一部がパネル盤にオーバーラップしていることを特徴とするキャブ式建設機械。
【請求項１２】
請求項１１において、パネル盤は、ステアリングシャフトが突出する後半部と、該後半部の前方にあり、後半部よりも左右幅広に形成される前半部とを有して構成されたものとし、吹出口は、前半部下方に配されていることを特徴とするキャブ式建設機械。
【請求項１３】
請求項１２において、パネル盤前半部の左右両側縁は、該左右両側縁間の幅が前側ほど狭くなるよう傾斜したものとし、吹出口は、平面視で該傾斜した左右両側縁の前端部位置下方に配されていることを特徴とするキャブ式建設機械。
【請求項１４】
請求項１３において、吹出口は、左右突出端がパネル盤前半部の幅広端と略一致するようになっていることを特徴とするキャブ式建設機械。
【発明の詳細な説明】
【技術分野】
【０００１】
本発明は、ホイールローダや油圧ショベル等のキャブ式建設機械の技術分野に属するものである。
【背景技術】
【０００２】
一般に、前後輪を有するホイールローダや油圧ショベルのような建設機械のなかには、操縦席を天井部だけでなく四周も覆うキャブ仕様（キャビン仕様）のものがあり、このようなものの多くは、キャブ内の作業環境を向上させるため空調装置（空気調整装置：暖房装置、冷房装置、冷暖房装置等）が装備されている。ところでこのようなキャブ式建設機械において、特にホイールローダ等のキャブ式の建設機械は、前方下方の視界を良くするため、乗用車等の車両のように左右方向に長い大きなインストゥルメント・パネルを設けることはせず、操縦席の前方に筒状のステアリングコラムを突設しているため、空調装置からの空調風の吹出口を設けるスペースがなく、そこで従来は、空調風の吹出口を、キャブの左右一側方に吹出口を配するようにしたもの（例えば特許文献１）や、ステアリングの前方に配したパネルカバーの上縁に吹出口を配設するようにしたもの（例えば特許文献２）が知れている。
【特許文献１】特開平７−４７８３５号公報
【特許文献２】特開平７−３８４３号公報
【発明の開示】
【発明が解決しようとする課題】
【０００３】
ところが、前記キャブの左右方向一側に吹出口を配したものでは、キャブの他方側への空調風の供給性が悪く、片効き状態になってしまうという問題があるだけでなく、キャブのフロントウインドウのディフロスト（霜取り）ができないという問題がある。これに対し、ステアリングの前方に配したパネルカバーの上縁に吹出口を設けたものは、吹出口がフロントウインドウに近接するため、フロントウインドウのディフロストはできるものの、吹出口がステアリングの前方であるため、どうしても操縦席から遠いものになって空調の効きが悪いだけでなく、吹出口がパネルカバーの上端にホース状に露出していて外観を損なうという問題があり、これらに本発明の解決すべき課題がある。
【課題を解決するための手段】
【０００４】
本発明は、上記の如き実情に鑑みこれらの課題を解決することを目的として創作されたものであって、請求項１の発明は、キャブによって覆われる操縦席の前方にステアリングコラムを備えてなるキャブ式建設機械に空調装置を設けるにあたり、該空調用の配管を、前記ステアリングコラム内を通して、ステアリングコラムに設けた吹出口に接続したことを特徴とするキャブ式建設機械である。
請求項２の発明は、請求項１において、吹出口は、ステアリングコラムの前方に配されることを特徴とするキャブ式建設機械である。
請求項３の発明は、請求項１または２において、吹出口はステアリングコラムの後面板に開設されることを特徴とするキャブ式建設機械である。
請求項４の発明は、請求項３において、吹出口からは後方下方に向けて調整風が吹出すものであることを特徴とするキャブ式建設機械である。
請求項５の発明は、請求項２において、吹出口は、ステアリングコラムとキャブ前面板とのあいだに位置してステアリングコラムに取付けられることを特徴とするキャブ式建設機械である。
請求項６の発明は、請求項２または５において、配管は、ステアリングコラムの左右方向側方から延設されたものを前方に折り返し湾曲して吹出口の左右方向一側に接続されるものであることを特徴とするキャブ式建設機械である。
請求項７の発明は、請求項６において、吹出口は、上面が開口して左右方向に長い凹溝形状をし、かつ溝底面は配管との接続側ほど低い傾斜面になっていることを特徴とするキャブ式建設機械である。
請求項８の発明は、請求項１において、吹出口は、ステアリングコラムの左右方向側方に配されることを特徴とするキャブ式建設機械である。
請求項９の発明は、請求項１または８において、吹出口は、ステアリングコラムの左右両側部から左右方向に突出して配されていることを特徴とするキャブ式建設機械である。
請求項１０の発明は、請求項１、２、８または９において、吹出口は、ステアリングコラムの上端部に設けたパネル盤の下方に配されていることを特徴とするキャブ式建設機械である。
請求項１１の発明は、請求項１０において、吹出口は、平面視で一部がパネル盤にオーバーラップしていることを特徴とするキャブ式建設機械である。
請求項１２の発明は、請求項１１において、パネル盤は、ステアリングシャフトが突出する後半部と、該後半部の前方にあり、後半部よりも左右幅広に形成される前半部とを有して構成されたものとし、吹出口は、前半部下方に配されていることを特徴とするキャブ式建設機械である。
請求項１３の発明は、請求項１２において、パネル盤前半部の左右両側縁は、該左右両側縁間の幅が前側ほど狭くなるよう傾斜したものとし、吹出口は、平面視で該傾斜した左右両側縁の前端部位置下方に配されていることを特徴とするキャブ式建設機械である。
請求項１４の発明は、請求項１３において、吹出口は、左右突出端がパネル盤前半部の幅広端と略一致するようになっていることを特徴とするキャブ式建設機械である。
【発明の効果】
【０００５】
請求項１の発明とすることにより、配管がステアリングコラムに内装されて外部に露出しないだけでなく、キャブディフロストウインドウのディフロスト、操縦席に向けての効率の良い空調風の吹出しができる。
請求項２の発明とすることで、ステアリングコラム前方にあるキャブフロントウインドウの効率の良いディフロストができる。
請求項３とすることで、ステアリングコラム後面からオペレータに向けて空調風を吹出すことができて、オペレータに清涼感を与えることができる。
請求項４の発明とすることで、オペレータの膝部位を向く下方への吹出ができて、より効率の良い空調ができることになる。
請求項５の発明とすることで、吹出口をステアリングコラムを利用して取り付けることができる。
請求項６の発明とすることで、吹出口に至るまでの配管の配設が簡単になる。
請求項７の発明とすることで、吹出口が、上方開口した簡単なものでありながら、左右幅広い状態で安定した空調風の吹出ができる。
請求項８の発明とすることで、ステアリングコラムを利用して吹出口を設けることができる。
請求項９の発明とすることで、空調風をステアリングコラムに対して左右から均等状態で排出することができる。
請求項１０の発明とすることで、吹出口がパネル盤が邪魔になることなく取付けることができる。
請求項１１の発明とすることで、吹出口は、一部がパネル盤でカバーできることになって、その分、前方視界を損なうことがない。
請求項１２の発明とすることで、吹出口は、左右方向に幅広なパネル盤前半部でカバーできる結果、その分、左右に幅広にできて、送風効率を高めることができる。
請求項１３の発明とすることで、操縦席に座するオペレータが見たときには、吹出口をほとんど目視できない構成になりながら、パネル盤前半部にカバーされる部分が少なくなって送風効果をさらに高めることができる。
請求項１４の発明とすることで、吹出口がパネル盤から左右に大きく突出して前方視界を妨げることを回避できる。
【発明を実施するための最良の形態】
【０００６】
次ぎに、本発明の第一の実施の形態について、図１〜図８に基づいて説明する。ここにおいて、１は図示しないエンジン、油圧機器等の各種部材装置を搭載して構成される後部車両、２はバケット３、アーム４等の各種部材装置を取付けて構成される前部車両であって、前後部車両１、２は連結部５を介して左右方向揺動自在に連結されていて、建設機械の１例であるホイールローダを構成していること等は何れも従来とおりである。
【０００７】
前記後部車両１には、操縦席６の天井部および前後左右（四周）を覆うキャブ１ａが設けられているが、操縦席６の下部には空調器本体７が配設されている。この空調器本体７は、コンデンサ、レシーバー、エバポレータ等の各種部材装置を用いて構成した汎用のものを採用しており、その構成の詳細については本発明と直接関係がないので省略する。空調器本体７において空調処理を受けた空調風は、左右一対の配管（ダクトホース）８、９を経由して前方に供給されるが、該配管８、９はリヤフレーム１ｂの上面を、フロア１ｃによって隠される（カバーされる）状態で配設される構成になっている。
【０００８】
前記操縦席６の前方には、ステアリングコラム１０がリヤフレーム１ｂの前部から角筒状に突設されていて、該ステアリングコラム１０の左右前方下方が操縦席６から見通せるようになっているが、ステアリングコラム１０の上端部には、パネル盤１１が設けられ、該パネル盤１１からステアリングシャフト１２が突出し、その上端にステアリングホイール１３が設けられている。また、ステアリングコラム１０の左右下部には操作ペダル１４、１５が設けられている。そしてステアリングコラム１０の前方には、キャブ１ａを構成するフロントウインドウ１ｄが近接する状態で設けられている。
【０００９】
前記パネル盤１１は、ステアリングシャフト１２が突出する後半部１１ａが左右方向幅狭で、該後半部１１ａの前方にあり、後半部１１ａよりも左右方向幅広な前半部１１ｂとを有して構成されている。さらに、前半部１１ｂの左右両側縁１１ｃは、該左右両側縁１１ｃ間の幅が前側ほど幅狭になるよう傾斜したものとなっている。
【００１０】
さて、前記配管８、９は、ステアリングコラム１０位置においてフロア１ｃ面から上方に突出してステアリングコラム１０内に配設されているが、一方の配管８は上端部８ａが前高後低状に傾斜する状態で後方に向けて折曲され、その先端（後端）が前低後高状に傾斜したステアリングコラム１０の後面板１０ａに開設した吹出口１６に連通連結されている。そして該吹出口１６からは、後方下方に向けて空調風が噴出して操縦席６に座するオペレータの膝部位に当るようになっている。
【００１１】
一方、他方の配管９は、本実施の形態では上端部９ａが左方に向けて折曲してステアリングコラム１０の左側面から露出したものが、前方側においてほぼＵ字形に折り返し折曲され、ステアリングコラム１０の前面板１０ｂに対し、パネル盤１１よりは下側に位置するようにして止着した吹出口１８の左端に連通連結されている。該吹出口１８は、左右方向に長く、上面が開口した凹溝状の長尺体であるが、吹出口１８の溝底面１８ａは配管９との接続側ほど低い（配管９から遠くなるほど浅い）傾斜面になっていて、空調風を配管９の接続部位から先端に亘って吹き出すことができるようになっている。
【００１２】
叙述の如く構成された本発明の実施の形態において、空調風が通る配管８、９は、ステアリングコラム１０内に配されることになる結果、配管８、９が露出する場合のように外観が損なわれることがなく、しかも一方の配管８の先端部８ａからは操縦席６に座するオペレータの膝部位を目がけるようにして後方下方に向けて空調風が吹出され、他方の配管９を空調風はステアリングコラム１０の前方に配した吹出口１８から上方に向けて吹出されるため、キャブ１内の前方上側からのフロントウインドウ１ｄのディフロストを含めた空調風の吹出しと前方下側からの空調風の吹出しとを併せてすることができ、好調効率が向上する。
【００１３】
しかもこのものは、他方の吹出口１８がステアリングコラム１０とキャブフロントウインドウ１ａとのあいだに配されるものの、パネル盤１１の下方に位置する状態でステアリングコラム１０に止着されるため、操縦席６に座するオペレータの視界からは殆ど見えることがなく、この結果、作業視界を殆ど妨げることがない。
【００１４】
さらにまた、他方の吹出口１８は、単に長溝状という構造の簡単なものでありながら、その溝底面１８ａが他方の配管先端部９ａから遠くなるほど上位となる傾斜面になっているため、左右幅全体に亘って空調風を吹出すことができる。
【００１５】
尚、本発明は、前記実施の形態に限定されるものでなく、図９〜図１５に示す第二の実施の形態のようにしても実施することができる。このものにおいて、前記第一の実施の形態と同じものについては同じ符号を付し、その説明は省略する。このものは、空調機本体１９からは１本の配管２０が延設されるもであり、該配管２０は、ステアリングコラム１０位置においてフロア１ｃ面から上方に突出してステアリングコラム１０内のステアリングシャフト１２配設位置の前側を上方に向けて通るようになっており、そしてステアリングコラム１０内の上部で左右に分岐され、ステアリングコラム１０のパネル盤１１下方に配した左右両側板１０ｂに設けた通気孔１０ｃに連通連結されている。前記両側板１０ｂの外側面には、通気孔１０ｃに連通するようダクトカバー（本発明の吹出口に相当する）２１が突設され、該ダクトカバー２１の上面に空調風の吹出口２１ａが開設されている。因みに、吹出口２１ａには風向調整板２２が設けられていて、空調風の吹出し方向を、操縦席６側、キャブ１ａのフロントウインドウ１ｄ側に向く前後方向および左右方向の調整が任意にできるようになっている。
【００１６】
前記ダクトカバー２１と、その上方に配されるパネル盤１１との配置関係を次に説明する。ダクトカバー２１の前端縁は平面視でパネル盤１１の前縁とほぼ一致する状態で左右側面板１０ａから左右方向に突出しており、その左右突出端２０ａ間の幅はパネル盤前半部１１ｂの左右幅と略一致する（本実施の形態では突出短稈の幅の方が少し大きい）ように設定されている。そして平面視したときに、ダクトカバー２１は、基端側がパネル盤前半部１１ｂにオーバーラップしていてカバーされた（覆われた、隠された）状態になっているが、前記傾斜した前半部左右両側縁１１ｃから先端部が露出する構成になっている。そしてダクトカバー２１は、操縦席６に座するオペレータがパネル盤１１を直視したとき、前端の左右コーナー部が僅かに見える程度にパネル盤１１に隠れるようになっている。
【００１７】
叙述の如く構成された本発明の第二の実施の形態において、ダクトカバー２１に至るまでの配管２０は、ステアリングコラム１０内に配されることになる結果、配管２０が露出する場合のように外観が損なわれることがなく、しかもダクトカバー２１は、フロントウインドウ１ｄに近いステアリングコラム１０の左右に配されているため、該フロントウインドウ１ｄのディフロストをすると共に、キャブ１ａ内を左右両側から均等状態で空調することができ、好調効率が向上する。
【００１８】
しかもダクトカバー２１は、パネル盤１１の下方に配されている結果、平面視で一部がパネル盤１１にカバーされた状態となって、その分、前方視界を損なうことがない配置になっているが、さらにこのダクトカバー２０は、平面視で左右幅広なパネル盤前半部１１ｂの下方にオーバーラップするように配され、そのオーバーラップ位置は、パネル盤前半部１１ｂの前側ほど幅狭となるよう傾斜した左右両側縁１１ｃの前端側に位置する結果、平面視でパネル盤前半部１１ｂから隠れることなく露出する部分が、左右両側縁１１ｃの傾斜縁によって確保することができ、このためダクトカバー２１を左右に大きく突出する構成にする必要がなく、パネル盤前半部１１ｂの左右幅と略同じ位置まで突出させて、前方視界を損なわない構成にしても、効率の良い空調風の排出ができることになる。
【図面の簡単な説明】
【００１９】
【図１】第一の実施の形態のホイールローダの側面図である。
【図２】同ホイールローダの平面図である。
【図３】同キャビン部分の正面図である。
【図４】同キャビン部分の側面図である。
【図５】同空調機本体から吹出口に至る配管状態を示す平面図である。
【図６】同パネル盤部位の平面図である。
【図７】同パネル盤部位の背面図である。
【図８】ステアリングコラム後面板である。
【図９】第二の実施の形態のホイールローダの側面図である。
【図１０】同ホイールローダの平面図である。
【図１１】同キャビン部分の正面図である。
【図１２】同キャビン部分の側面図である。
【図１３】同パネル盤部位の平面図である。
【図１４】同ダクトカバーの平面図である。
【図１５】同空調機本体から吹出口に至る配管状態を示す平面図である。
【符号の説明】
【００２０】
１    後部車両
１ａ  キャブ
２    前部車両
６    操縦席
７    空調装置
８    配管
９    配管
１０    ステアリングコラム
１１    パネル盤
１１ａ  パネル盤後半部
１１ｂ  パネル盤前半部
１１ｃ  パネル盤前半部の左右側縁
１６    吹出口
１８    吹出口
【図１】
2005119535.tif 000003
【図２】
2005119535.tif 000004
【図３】
2005119535.tif 000005
【図４】
2005119535.tif 000006
【図５】
2005119535.tif 000007
【図６】
2005119535.tif 000008
【図７】
2005119535.tif 000009
【図８】
2005119535.tif 000010
【図９】
2005119535.tif 000011
【図１０】
2005119535.tif 000012
【図１１】
2005119535.tif 000013
【図１２】
2005119535.tif 000014
【図１３】
2005119535.tif 000015
【図１４】
2005119535.tif 000016
【図１５】
2005119535.tif 000017